(57)【要約】【課題】再生するためのプレイリストを作成している間、または選択されたオーディオデータファイルの一覧表を見ながら再生すべきオーディーデータファイルを選択している間、ユーザーがストレスを感じるという課題があった。【解決手段】プレイリストを作成している間、または選択されたオーディオデータファイルの一覧表を見ながら再生すべきオーディオデータファイルを選択している間も、適度な音量でＢＧＭを再生し、かつＢＧＭの楽曲名とアーティスト名を表示する。【選択図】図３
2009020941.tif 000002
【特許請求の範囲】
【請求項１】
複数のオーディオデータファイルから所望のオーディオデータファイルを選択するための選択基準を設定する選択基準設定手段と、前記選択基準設定手段によって設定された選択基準に従って前記オーディオデータファイルから所望のオーディオデータファイルを選択して特定のプレイリストを作成するプレイリスト作成手段と、前記プレイリスト作成手段によって作成された特定のプレイリストの各オーディオデータファイルの少なくとも楽曲名およびアーティスト名を表示するための信号を生成する楽曲データ表示信号生成手段と、
前記オーディオデータファイルの複数から再生するオーディオデータファイルを選択するオーディオデータファイル選択画面を表示するための信号を生成するオーディオデータファイル選択画面表示信号生成手段と、前記オーディオデータファイル選択画面から選択されたオーディオデータファイルを再生する音量を調整するための第一の音量調節手段と、前記特定のプレイリストのオーディオデータファイルを再生する音量を調節するための第二の音量調節手段と、前記楽曲データ表示信号生成手段および前記オーディオデータファイル選択画面表示信号生成手段のうちの一つ、もしくは両方からの出力信号に従って映像信号を出力するためのＯＳＤ手段と、前記オーディオデータファイルを再生するためのオーディオデータファイル再生手段と、前記複数のオーディオデータファイルおよび該オーディオデータファイルに含まれるメタデータを蓄積するための複数のサーバー機器と接続されているルーターと接続するための接続端子と、を備えるユーザーが操作可能なオーディオデータ処理端末機器において、
前記接続端子は前記ルーターを介して前記オーディオデータファイルおよび該オーディオデータファイルに含まれるメタデータにアクセスし、前記選択基準設定手段は、前記オーディオファイルデータそれぞれの再生時刻、再生回数および前記メタデータからユーザーが所望する少なくとも一つのカテゴリーを選択基準として設定可能とし、前記オーディオデータファイル選択画面表示信号生成手段によってオーディオデータファイル選択画面が表示されている間、前記特定のプレイリストのオーディオデータファイルを先頭から所定時間の間、前記第二の音量調節手段によって予め決められた音量で順次再生すると同時に、前記楽曲データ表示信号生成手段によって現在再生されている特定のプレイリストのオーディオデータファイルの少なくとも楽曲名およびアーティスト名を表示するための信号を出力し、前記オーディオデータファイル選択画面からユーザーが所望のオーディオデータファイルを選択したときには前記特定のプレイリストのオーディオデータファイルの再生を停止すると同時に該オーディオデータファイルを前記第一の音量調節手段によって調節された音量によって再生を開始するよう制御することを特徴とするオーディオデータ処理端末機器。
【請求項２】
前記メタデータは、前記オーディオファイルに付帯し、前記オーディオデータファイルそれぞれの特徴を示すキーワードまたはカテゴリーである請求項１に記載のオーディオデータ処理端末機器。
【請求項３】
前記所定時間はユーザーの所望の時間に設定可能である請求項２乃至３に記載のオーディオデータ処理端末機器。
【発明の詳細な説明】
【技術分野】
【０００１】
本発明は、オーディオデータ処理端末機器に関し、特にネットワーク接続された複数のサーバーに記憶されたオーディオデータファイルを再生するためのオーディオデータ処理端末機器に関する。
【背景技術】
【０００２】
近年のデジタルオーディオプレーヤにおいて、サーバー機器にネットワーク接続してデジタル形式のオーディオデータファイルを容易に処理するための技術が開発されている。この技術は、パソコンやDVDプレーヤなどの家庭内にある機器自動車の中にある機器や、デジタルカメラ、ビデオカメラや携帯電話機などの様々な携帯機器などにも適用することが可能である。このような技術により、複数のサーバー機器に記憶された膨大な数のオーディオデータファイルを聞くことが可能になり、前記の膨大な数のオーディオデータファイルを簡単にユーザーが選択して再生する技術が必要とされている。
【０００３】
特許文献１には、メタデータ作成ツールを用いて、ユーザーが入力した条件に従ってオーディオデータファイルに関連する書誌情報を参照し、任意の商業空間に最適なＢＧＭを選択し、また、前記ユーザーが入力した条件と、選択された複数のオーディオ情報とを分析して決定したオーディオデータファイルプレイリストに従ってオーディオデータファイルを再生する技術が開示されている。
【特許文献１】特開２００２−３３３８９２
【発明の開示】
【発明が解決しようとする課題】
【０００４】
特許文献１に記載の技術では、膨大なオーディオデータファイルを処理しなければならないため、再生するためのプレイリストを作成している間、または選択されたオーディオデータファイルの一覧表を見ながら再生すべきオーディーデータファイルを選択している間、ユーザーがストレスを感じるという課題があった。
【０００５】
本発明は前記課題を鑑み、ユーザーにストレスを与えないようなオーディオデータ処理システムを提供することを目的とする。
【課題を解決するための手段】
【０００６】
上記目的を達成するために、オーディオデータ処理端末機器において、複数のオーディオデータファイルから所望のオーディオデータファイルを選択するための選択基準を設定する選択基準設定手段と、前記選択基準設定手段によって設定された選択基準に従って前記オーディオデータファイルから所望のオーディオデータファイルを選択して特定のプレイリストを作成するプレイリスト作成手段と、前記プレイリスト作成手段によって作成された特定のプレイリストの各オーディオデータファイルの少なくとも楽曲名およびアーティスト名を表示するための信号を生成する楽曲データ表示信号生成手段と、前記オーディオデータファイルの複数から再生するオーディオデータファイルを選択するオーディオデータファイル選択画面を表示するための信号を生成するオーディオデータファイル選択画面表示信号生成手段と、前記オーディオデータファイル選択画面から選択されたオーディオデータファイルを再生する音量を調整するための第一の音量調節手段と、前記特定のプレイリストのオーディオデータファイルを再生する音量を調節するための第二の音量調節手段と、前記楽曲データ表示信号生成手段および前記オーディオデータファイル選択画面表示信号生成手段のうちの一つ、もしくは両方からの出力信号に従って映像信号を出力するためのＯＳＤ手段と、前記オーディオデータファイルを再生するためのオーディオデータファイル再生手段と、前記複数のオーディオデータファイルおよび該オーディオデータファイルに含まれるメタデータを蓄積するための複数のサーバー機器と接続されているルーターと接続するための接続端子と、を備えるユーザーが操作可能であって、前記接続端子は前記ルーターを介して前記オーディオデータファイルおよび該オーディオデータファイルに含まれるメタデータにアクセスし、前記選択基準設定手段は、前記オーディオファイルデータそれぞれの再生時刻、再生回数および前記メタデータからユーザーが所望する少なくとも一つのカテゴリーを選択基準として設定可能とし、前記オーディオデータファイル選択画面表示信号生成手段によってオーディオデータファイル選択画面が表示されている間、前記特定のプレイリストのオーディオデータファイルを先頭から所定時間の間、前記第二の音量調節手段によって予め決められた音量で順次再生すると同時に、前記楽曲データ表示信号生成手段によって現在再生されている特定のプレイリストのオーディオデータファイルの少なくとも楽曲名およびアーティスト名を表示するための信号を出力し、前記オーディオデータファイル選択画面からユーザーが所望のオーディオデータファイルを選択したときには前記特定のプレイリストのオーディオデータファイルの再生を停止すると同時に該オーディオデータファイルを前記第一の音量調節手段によって調節された音量によって再生を開始するよう制御する。
【０００７】
オーディオデータ処理端末機器において、前記メタデータは、前記オーディオファイルに付帯し、前記オーディオデータファイルそれぞれの特徴を示すキーワードまたはカテゴリーである。
【０００８】
オーディオデータ処理端末機器において、前記所定時間はユーザーの所望の時間に設定可能である。
【０００９】
前記の通り構成することにより、プレイリストを作成している間、または選択されたオーディオデータファイルの一覧表を見ながら再生すべきオーディオデータファイルを選択している間も、適度な音量で特定のプレイリストをＢＧＭとして再生し、かつその特定のプレイリストの楽曲名とアーティスト名を表示することでユーザーに退屈感を与えず、気分を高揚させるよう作用する。
【発明の効果】
【００１０】
請求項１に記載の発明によれば、ユーザーが複数のオーディオデータファイルから再生すべきものを選択している時に、ユーザーが設定した選択基準に従って作成された特定のプレイリストのオーディオデータファイルを所定時間のあいだ順次再生し、音量を通常のオーディオファイル再生時とは異なる音量で再生すると同時に再生中の特定のプレイリストの楽曲名とアーティスト名を表示することによってユーザーに退屈感を与えず、気分を高揚させるオーディオデータ処理端末機器を構成することが可能となる。
【００１１】
請求項２に記載の発明によれば、前記メタデータは、前記オーディオファイルに付帯し、前記オーディオデータファイルそれぞれの特徴を示すキーワードまたはカテゴリーであるため、前記メタデータを選択基準に用いることによってユーザーの好みにより適応した特定のプレイリストを作成することが可能となる。
【００１２】
請求項３に記載の発明によれば、特定のプレイリストを順次再生する所定時間をユーザーが設定することが可能となる。
【発明を実施するための最良の形態】
【００１３】
図1は本発明に係るオーディオデータ処理システムのブロック図を表す。図１を用いて本発明に係るオーディオデータ処理システムの構成を説明する。
【００１４】
端末機器１００は、複数のオーディオデータファイルから所望のオーディオデータファイルを選択するための選択基準を設定する選択基準設定手段１０１と、選択基準設定手段１０１によって設定された選択基準に従って前記オーディオデータファイルから所望のオーディオデータファイルを選択して特定のプレイリストを作成するプレイリスト作成手段１０３、プレイリスト作成手段１０３によって作成された特定のプレイリストのオーディオデータファイルそれぞれの少なくとも楽曲名およびアーティスト名を表示するための信号を生成する楽曲データ表示信号生成手段１０５、前記オーディオデータファイルの複数から再生するオーディオデータファイルを選択するオーディオデータファイル選択画面をサムネール表示するための信号を生成するオーディオデータファイル選択画面信号生成手段１０７、前記オーディオデータファイル選択画面から選択されたオーディオデータファイルを再生する音量を調整するための第一の音量調節手段１０９、前記特定のプレイリストのオーディオデータファイルを再生する音量を調節するための第二の音量調節手段１１１、オーディオデータファイル選択画面表示信号生成手段１０７と楽曲データ表示信号生成手段１０５のうちの一つ、もしくは両方からの出力信号に従って映像信号を出力するためのＯＳＤ手段１１３、および前記オーディオデータファイルを再生するためのオーディオデータファイル再生手段１１５から構成される。
【００１５】
複数のオーディオデータファイルおよび該オーディオデータファイルに含まれるメタデータそれぞれを蓄積するためのサーバー機器１１７、１１９、１２１および１２３と、前記サーバー機器の複数と端末機器１００を接続するためのルーター１２５は、端末機器１００の接続端子１０２によって接続され、オーディオシステムを構成する。
【００１６】
ＯＳＤ手段１１３は文字および図形信号を表示手段１２７に出力し、表示手段１２７は文字および図形信号を表示する。また、オーディオデータファイル再生手段１１５は、音声信号をスピーカ１２９に出力し、スピーカ１２９は音声を出力する。
【００１７】
図２は本発明に係る選択基準を設定するためのフローチャートを表す。また図３は本発明に係る選択基準を設定するための設定画面を表す。図２を元に、図１および図３を参照しながら選択基準の設定動作を説明する。図示しないユーザーインターフェースによって選択基準設定画面を起動する指令が選択基準設定手段１０１に送られる（ステップＳ２０１）。選択基準設定手段１０１から選択基準設定画面を表示するための信号がＯＳＤ手段１１３に送られ、表示装置１２７に図３の選択基準設定画面が表示される。図３の３０１に示すように、再生時刻を現在時刻から過去のいつまでの間に再生したオーディオデータファイルを選択するために過去の時刻を入力する（ステップＳ２０２）。次に、図３の３０３に示すように、再生頻度によってオーディオデータファイルを選択するために、これまでの再生回数を入力する（ステップＳ２０３）。次に図３の３０５に示すように、オーディオデータファイルに付帯しているメタ情報、例えば、アーティスト名、ジャンル名等、ユーザーが選択条件を絞り込むための情報を入力する（ステップＳ２０４）。次に、図３の３０７に示すように、特定のプレイリストを再生するときの、各オーディオデータファイルの先頭から再生する時間を入力する（ステップＳ２０５）。最後に、図３の３０９に示すように、特定のプレイリストを再生するときの音量値を第二の音量調節手段によって調節する（ステップＳ２０６）なお、本実施例ではステップＳ２０２からステップＳ２０６の５項目すべてに対して入力する場合を説明したが、入力する項目は１項目でも２項目でも動作は可能である。
【００１８】
次に、図４は本発明に係るオーディオ処理システムの動作フローチャートを表す。また図５は本発明に係るオーディオデータファイル選択画面を表す。図４を元に図１および図５を参照しながら本発明の動作処理を説明する。
【００１９】
まず端末機器１００の選択基準設定手段１０１によって選択基準を設定し（ステップＳ４０１）、選択基準に従ってプレイリスト作成手段１０３よって特定のプレイリストが作成される（ステップＳ４０２）。次にオーディオデータファイル選択画面信号生成手段１０７によってオーディオファイルデータ選択画面を表す信号が生成され、作成された信号がＯＳＤ手段１１３に出力され、ＯＳＤ手段１１３から映像信号が表示装置１２７に出力され、図５に示すようにオーディオデータファイル選択画面が表示装置１２７に表示される（ステップＳ４０３）。
【００２０】
図５の５０３に示すＡ〜Ｌがサーバー機器１１７、１１９、１２１および１２３に記録されているオーディオデータファイルを表す画像が表示される。前記オーディオデータファイルを表す画像は、オーディオデータファイルのメタデータに含まれる映像情報を表示しても良いし、ユーザーの好みによってオリジナルの画像を設定することも可能である。
図５の５０３に示すＡ〜Ｌのうち、外枠が太字で囲われているＡのオーディオデータファイルが現在選択可能であり、オーディオデータファイルＡに関する楽曲データである、タイトル、記録した日付けおよび記録されているサーバー名が５０５に表示されている。
【００２１】
次に第二の音量調節手段１１１によって所定の音量データがオーディオデータファイル再生手段１１５に出力され（ステップＳ４０４）、オーディオデータファイル作成手段１１５によって前記ステップＳ４０２で作成された特定のプレイリストが再生され（ステップＳ４０５）、再生された音声信号がスピーカ１２９によって出力される。次いで、楽曲データ表示信号生成手段１０５によって楽曲名／アーティスト名を表す信号がＯＳＤ手段１１３に出力され、ＯＳＤ手段１１３から楽曲名／アーティスト名を表す映像信号が表示装置１２７に出力され、表示装置１２７に楽曲名／アーティスト名が図５の５０１のように表示される（Ｓ４０６）。
【００２２】
次にオーディオデータファイル選択画面からユーザーが所望のオーディオデータファイルを選択した場合（ステップＳ４０７）には、オーディオデータファイル再生手段１１５によって特定のプレイリストのオーディオデータファイルの再生が停止される（ステップＳ４０８）。次に、第一の音量調節手段１０９によって音量が調節される（ステップＳ４０９）。次いでユーザーが選択したオーディオデータファイルがオーディオデータファイル再生手段１１５によって再生され（ステップＳ４１０）、オーディオデータファイル再生手段１１５で再生され、音声信号がスピーカ１２９から出力される。
【００２３】
なお、ステップＳ４０７でユーザーが所望のオーディオデータファイルを選択しない場合、すなわち図５のオーディオデータファイル選択画面上で所望のオーディオファイルを選択中の間は、ステップＳ４０３に戻り、ＢＧＭ用オーディオデータファイルを再生する処理を再度行う。
【００２４】
なお、図４の動作フローチャートでは、ステップＳ４０３からステップＳ４０６は直列で処理を行っているが、並列に処理しても良い。また同様に、ステップＳ４０８からステップＳ４０９の並列に処理しても良い。
【００２５】
なお、ＢＧＭ用プレイリストを再生する際、ＢＧＭ用プレイリストの複数のオーディオデータファイルを再生する順番を、ＢＧＭ用プレイリストの作成された時点での順番で再生するか、ユーザーの所望の順番に並べ替えるためのステップを設けても良い。
【００２６】
前述のように、本発明によって、プレイリストを作成している間、または選択されたオーディオデータファイルの一覧表を見ながら再生すべきオーディオデータファイルを選択している間も、ユーザーが任意で設定した選択基準によって選択された特定のプレイリストを通常のオーディオデータファイルを再生するための音量値とは別に設定された適度な音量でＢＧＭとして再生し、かつ特定のプレイリストのオーディオデータファイルの楽曲名とアーティスト名を表示することでユーザーに退屈感を与えず、気分を高揚させることが出来る。
【００２７】
なお、本発明における選択基準は、オーディオファイルデータそれぞれの再生時刻、再生回数および前記サーバーに蓄積されたメタデータに限らず、オーディオファイルデータに関連する情報すべてを選択基準とすることが可能である。
【産業上の利用可能性】
【００２８】
本発明は、記録機能と音声出力機能を有する電子機器すべてに適用可能で有り、特に直接にインターネットなどのネットワークの音楽データにアクセス可能な機器、例えばパーソナルコンピュータ、テレビ、またこれらの機器に接続可能な据え置きか携帯用のオーディオレコーダ、あるいは公衆電話回線を通じて音楽データにアクセス可能な携帯電話端末等の電子機器に対しても好適である。
【図面の簡単な説明】
【００２９】
【図１】本発明に係るオーディオデータ処理システムのブロック図を表す。
【図２】本発明に係る選択基準設定のフローチャートを表す。
【図３】本発明に係る選択基準設定画面を表す。
【図４】本発明に係るオーディオ処理システムの動作フローチャートを表す。
【図５】本発明に係るオーディオデータファイル選択画面を表す。
【符号の説明】
【００３０】
１００  端末機器
１０１  選択基準設定手段
１０２  接続端子
１０３  プレイリスト作成手段
１０５  楽曲データ表示信号生成手段
１０７  オーディオデータファイル選択画面信号生成手段
１０９  第一の音量調節手段
１１１  第二の音量調節手段
１１３  ＯＳＤ手段
１１５  オーディオデータファイル再生手段
１１７、１１９、１２１、１２３  サーバー機器
１２５  ルーター
【図２】
2009020941.tif 000003
【図３】
2009020941.tif 000004
【図４】
2009020941.tif 000005
【図５】
2009020941.tif 000006
【図１】
2009020941.tif 000007